【手続補正書】
【提出日】平成15年10月22日(2003.10.22)
【手続補正１】
【補正対象書類名】明細書
【補正対象項目名】特許請求の範囲
【補正方法】変更
【補正の内容】
【特許請求の範囲】
【請求項１】
光ディスク上に同心円状に形成されたグルーブ又はこのグルーブ間のランドに対し、光ビームを照射して光スポットを形成する光ビーム照射手段と、
この光ビーム照射手段により形成される前記光スポットを、前記グルーブ又はランドと直交するトラッキング方向に移動する光スポット移動手段と、
前記光ビーム照射手段により光ビームが照射された前記ディスクから反射光ビームを受光することにより、前記グルーブ又はランドによる回折光強度の非平衡を検出する検出手段と、
この検出手段の検出結果に基づいて、前記光スポットの前記グルーブ又はランドに対する前記トラッキング方向の位置情報を示すトラッキング誤差信号を出力する出力手段と、
前記トラッキング誤差信号に基づいて前記光スポット移動手段の動作を制御する制御手段とを備え、
前記制御手段は、光スポットが前記光ディスク上のグルーブ又はランドの中心からずれて形成されているときに、前記出力手段により出力される前記トラッキング誤差信号の極性が、前記トラッキング誤差信号に含まれるオフセットの極性と一致する前記グルーブ又はランドのいずれか一方に対して前記光スポットを迫従移動させ、その後に、目的とするグルーブ又はランドヘ前記光スポットを移動させることを特徴とする光ディスク装置。
【請求項２】
光ディスク上に同心円状に形成されたグルーブ又はこのグルーブ間のランドに対し、光ビームを照射して光スポットを形成する対物レンズと、
この対物レンズを光軸と直交する方向に移動動作させることにより、前記光スポットを前記グルーブ又はランドと直交するトラッキング方向に移動する光スポット移動手段と、
前記対物レンズにより光ビームが照射された前記光ディスクから反射光ビームを受光することにより、前記グルーブ又はランドによる回折光強度の非平衡を検出する検出手段と、
この検出手段の検出結果に基づいて、前記光スポットの前記グルーブ又はランドに対する前記トラッキング方向の位置情報を示すトラッキング誤差信号を出力する出力手段と、
前記トラッキング誤差信号に基づいて、前記光スポット移動手段の動作を制御する制御手段とを備え、
前記制御手段は、前記グルーブに対して前記光スポットを迫従移動させ、その後に、目的とするグルーブ又はランドヘ前記光スポットを移動させることを特徴とする光ディスク装置。
【請求項３】
前記制御手段は、前記トラッキング引き込み動作を行う場合に、ランドへのトラッキングが必要なときには、その目的のランドに近接するグルーブに前記光スポットを迫従移動させた後に、当該目的のランドヘ前記光スポットを移動させることを特徴とする請求項２記載の光ディスク装置。
【請求項４】
光ディスク上に同心円状に形成されたグルーブ又はこのグルーブ間のランドに対し、光ビームを照射して光スポットを形成するガルバノミラーと、
このガルバノミラーを回転駆助することにより、前記光スポットを前記グルーブ又はランドと直交するトラッキング方向に移動する光スポット移動手段と、
前記ガルバノミラーにより光ビームが照射された前記光ディスクから反射光ビームを受光することにより、前記グルーブ又はランドによる回折光強度の非平衡を検出する検出手段と、
この検出手段の検出結果に基づいて、前記光スポットの前記グルーブ又はランドに対する前記トラッキング方向の位置情報を示すトラッキング誤差信号を出力する出力手段と、
前記トラッキング誤差信号に基づいて前記光スポット移動手段の動作を制御する制御手段とを備え、
前記制御手段は、前記ランドに対して上記光スポットを迫従移動させ、その後に、目的とするグルーブ又はランドヘ前記光スポットを移動させることを特徴とする光ディスク装置。
【請求項５】
前記制御手段は、前記トラッキング引き込み動作を行う場合に、グルーブヘのトラッキングが必要なときには、その目的のグルーブに近接するランドに前記光スポットを迫従移動させた後に、当該目的のグルーブヘ前記光スポットを移動させることを特徴とする請求項４記載の光ディスク装置。
【請求項６】
光ディスク上に同心円状に形成されたグルーブ又はこのグルーブ間のランドに対し、光ビームを照射して光スポットを形成する光ビーム照射ステップと、
この光ビーム照射ステップにより形成される前記光スポットを、前記グルーブ又はランドと直交するトラッキング方向に移動する光スポット移動ステップと、
前記光ビーム照射ステップにより光ビームが照射された前記光ディスクから反射光ビームを受光することにより、前記グルーブ又はランドによる回折光強度の非平衡を検出する検出ステップと、
この検出ステップの検出結果に基づいて、前記光ビーム照射ステップにより形成され、前記光スポット移動ステップにより移動される前記光スポットの前記グルーブ又はランドに対する前記トラッキング方向の位置情報を示し、かつ前記グルーブ又はランドの中心を境に極性が変化するトラッキング誤差信号を出力するもので、前記光スポット移動ステップによる前記光スポットの移動に伴って発生し、前記光スポットの移動方向に応じて極性が変化するオフセットを含んで前記トラッキング誤差信号を出力する出力ステップと、
この出力ステップにより出力される前記トラッキング誤差信号を基に前記光スポット移動ステップにおける前記光スポットの移動を制御することにより、前記光ディスク上のグルーブ又はランドの中心から、前記光スポット移動ステップによる前記光スポットの移動方向と逆の方向に、前記光スポットがずれて形成されているときの前記出力ステップにより出力される前記トラッキング誤差信号の極性が、前記トラッキング誤差信号に含まれるオフセットの極性と一致する前記グルーブ又はランドのいずれか一方に対し、前記光スポットを追従動作させ、前記光スポットが前記グルーブ又はランドのいずれか一方に対し移動後、前記スポット移動ステップの動作を制御して、目的とするグルーブ又はランドへ前記光スポットを移動させる制御ステップと、
を具備したことを特徴とする光ディスク装置におけるトラッキング制御方法。
【請求項７】
光ディスク上に同心円状に形成されたグルーブ又はこのグルーブ間のランドに対し、光ビームを照射して光スポットを形成する光スポット対物レンズを光軸と直交する方向に移動動作させることにより、前記光スポットを、前記グルーブ又はランドと直交するトラッキング方向に移動する光スポット移動ステップと、
前記対物レンズにより光ビームが照射された前記光ディスクから反射光ビームを受光することにより、前記グルーブ又はランドによる回折光強度の非平衡を検出する検出ステップと、
この検出ステップの検出結果に基づいて、前記対物レンズにより形成され、前記光スポット移動ステップにより移動される前記光スポットの前記グルーブ又はランドに対する前記トラッキング方向の位置情報を示すトラッキング誤差信号を出力する出力ステップと、
前記トラッキング誤差信号を基に前記光スポット移動ステップの動作を制御して前記対物レンズを移動動作させることにより、前記グルーブに対し、前記光スポットを追従移動させ、前記光スポットが前記グルーブに対し、前記光スポット移動ステップの動作を制御して、目的とするグルーブ又はランドへ前記光スポットを移動させる制御ステップと、
を具備したことを特徴とする光ディスク装置におけるトラッキング制御方法。
【請求項８】
光ディスク上に同心円状に形成されたグルーブ又はこのグルーブ間のランドに対し、光ビームを照射して光スポットを形成するガルバノミラーを回転駆動することにより、前記光スポットを、前記グルーブ又はランドと直交するトラッキング方向に移動する光スポット移動ステップと、
前記ガルバノミラーにより光ビームが照射された前記光ディスクから反射光ビームを受光することにより、前記グルーブ又はランドによる回折光強度の非平衡を検出する検出ステップと、
この検出ステップの検出結果に基づいて、前記ガルバノミラーにより形成され、前記光スポット移動ステップにより移動される前記光スポットの前記グルーブ又はランドに対する前記トラッキング方向の位置情報を示すトラッキング誤差信号を出力する出力ステップと、
前記トラッキング誤差信号を基に前記光スポット移動ステップの動作を制して前記ガルバノミラーを回転駆動させることにより、前記グルーブに対し、前記光スポットを追従動作させ、前記光スポットが前記グルーブに対し追従移動後、前記スポット移動ステップの動作を制御して、目的とするグルーブ又はランドへ前記光スポットを移動させる制御ステップと、
を具備したことを特徴とする光ディスク装置におけるトラッキング制御方法。
【請求項９】
光ディスク上に同心円状に形成されたグルーブ又はこのグルーブ間のランドに対し、光ビームを照射して光スポットを形成する光ビーム照射手段と、
この光ビーム照射手段により形成される前記光スポットを、前記グルーブ又はランドと直交するトラッキング方向に移動する光スポット移動手段と、
前記光ビーム照射手段により光ビームが照射された前記ディスクから反射光ビームを受光することにより、前記グルーブ又はランドによる回折光強度の非平衡を検出する検出手段と、
この検出手段の検出結果に基づいて、前記光スポットの前記グルーブ又はランドに対する前記トラッキング方向の位置情報を示すトラッキング誤差信号を出力する出力手段と、
前記トラッキング誤差信号に基づいて前記光スポット移動手段の動作を制御する制御手段とを備え、
前記制御手段は、光スポットがある方向に前記光ディスク上のグルーブ又はランドの中心からずれて形成されているときに、前記出力手段により出力される前記トラッキング誤差信号の極性が、前記ある方向の逆方向に駆動された前記光スポット移動手段によって前記光ビーム照射手段と前記検出手段の相対的位置関係が動くことで反射光のスポットが前記検出手段の中心からずれて形成されているときに、前記トラッキング誤差信号に含まれるオフセットの極性と一致するように、前記グルーブ又はランドのいずれか一方に対して前記光スポットを移動させ、その後に、目的とするグルーブ又はランドヘ前記光スポットを移動させ、それぞれの選択したグルーブ又はランド上への安定したトラッキング制御を前記ライトスポットが前記目的とするグルーブ又はランド上に移動する前に達成することを特徴とする光ディスク装置。
【請求項１０】
前記制御手段は、トラッキング制御を行っていない状態からトラッキング制御に移行するトラッキング引き込み動作を行うことを特徴とする請求項１、２、４或いは９のいずれかに記載された光ディスク装置。